(57)【要約】【課題】  本願の押切り式カッターは、回動自在に取付けた固定体と回動体の間に被切断物を挟み、回動体を回動して被切断物を裁断する際、切断片が周囲に飛散せず、かつ、切断片が作業者に当り怪我をすることのなく、安全な押切り式カッターを提供する。【解決手段】  固定体１と回動体２を回動自在に取付けた押切り式カッターであって、該固定体１と回動体２の何れかに取付け或は着脱自在に取付け、回動体２の回動により固定体１との間で押切られた被切断物の裁断片が、周囲に飛散することを防止する飛散防止体１５を有することを特徴とする。【選択図】  図１
2005219166.tif 000002
【特許請求の範囲】
【請求項１】
固定体と回動体を有し、該固定体と回動体の対向面の何れか一方の辺に鋭利な刃を有し、かつ、該固定体をベース上に取付け、該固定体の先端部と回動体の先端部を回動自在に取付け、回動体の基部に把手部を延設した押切り式カッターであって、
該固定体と回動体の何れかに取付け或は着脱自在に取付け、該回動体の回動により固定体との間で押切られた物品の切断片が、周囲に飛散することを防止する飛散防止体を有することを特徴とする押切り式カッター。
【請求項２】
固定体と回動体を有し、該固定体と回動体の対向面の何れか一方の辺に鋭利な刃を有し、かつ、該固定体をベース上に取付け、該固定体の先端部と回動体の先端部を回動自在に取付け、回動体の基部に把手部を延設した押切り式カッターであって、
該固定体と回動体の何れかに取付け或は着脱自在に取付け、該回動体の回動により固定体との間で押切られた物品の切断片を収納する収納体を開口状態で取付ける収納体取付け部材を有することを特徴とする押切り式カッター。
【請求項３】
前記固定体と回動体の何れかに係止部を設け、該係止部に前記収納体取付け部材に設けた係止部を着脱自在に係止することを特徴とする請求項２に記載の押切り式カッター。
【請求項４】
前記収納体取付け部材が、枠体で形成され、前記固定体或は回動体に設けた係止部が孔であり、該孔に前記収納体取付け部材の係止部を挿入し固定することを特徴とする請求項３に記載の押切り式カッター。
【請求項５】
前記請求項１記載の飛散防止体と、
前記請求項２から４のいずれか１に記載の収納体取付け部材と、
を有することを特徴とする押切り式カッター。
【請求項６】
固定体と回動体を有し、該固定体と回動体の対向面の何れか一方の辺に鋭利な刃を、他方の辺には受け刃を設け、かつ、該固定体をベース上に取付け、該固定体の先端部と回動体の先端部を回動自在に取付け、回動体の基部に把手部を延設した押切り式カッターであって、
前記固定体と回動体の何れか一方の辺に形成された鋭利な刃が折曲した刃であり、
ベースと回動体の把手部の角度をθ１又はθ５とし、前記鋭利な刃の中央部と相手側の直線的な受け刃との角度をθ２又はθ６としたとき
θ１≦θ２  又は  θ５≦θ６
の関係があり、鋭利な刃の後端部と受け刃との角度をθ３又はθ７としたとき、
θ２≦θ３  又は  θ６≦θ７
の関係があり、鋭利な刃の先端部と受け刃との角度をθ４又はθ８としたとき、
θ２≦θ４  又は  θ６≦θ８
の関係となることを特徴とする押切り式カッター。
【発明の詳細な説明】
【技術分野】
【０００１】
本発明は、押切り式カッターに関する。
【背景技術】
【０００２】
１９９７年の地球温暖化防止京都会議における地球環境京都宣言の採択以来、我国の地方自治体によるゴミの分別収集と寸法規制が急速に強化された。中でも収集ゴミの寸法規制は、ゴミ放出者による粗大ゴミの小型化、分割裁断の強制が大きな負担となっている。このような状況下で粗大ゴミの小型化、分割裁断には、ハンマー、鋸、各種の刃物が多用されているが、これらの道具による粗大ゴミの小型化、分割裁断は、多大な労力と処理時間がかかっていた。又、種々の粗大ゴミ(カーペット、段ボール、ペットボトル、発泡スチロール、剪定した樹木、棒、板、パイプ、波板、ベニヤ………)を１つの道具で小型化、分割裁断するには、押切り式カッターが適している。
【０００３】
上記押し切り式カッターの基本構造は、刃と受け刃を有し、該刃と受け刃の何れか一方がベース上に取付けられ、該刃の先端部と受け刃の先端部が回動自在に取り付けられ、回動側の刃の基部に把手部が設けられている。こうした押し切り式カッターは、大昔から使われており構造が簡単なため、最近の出願は、特定用途に限定した特許文献しか見当たらない。たとえば、特許文献１は、被裁断物であるブロッコリーを一定の長さに切断するため、基板上に受け板を設け、この受け板と並行に併設し当板と、受け板の側面に沿って回動自在に取り付けた包丁部とを有し、受け板と当板の間隔が裁断したい被裁断物の長さの押切りカッターである。
【０００４】
一般に、押し切り式カッターは、回動側の刃を人力で押し下げて物品を切断するため、連続使用は大変疲れる。物品を切り易くして疲れないようにするためのものとして、特許文献２があった。この裁断機は、基台上に支持金物を有し、支持金物に切り刃を支持するボルト用の水平な長穴とこの長孔の近傍に丸穴を有し、長穴に切り刃の先端部に切り刃の先端部をボルトにより支持すると共に、その手前に設けた切り刃の円弧状長穴に、支持金物の丸穴に設けたピンを貫通係合させ、切り刃の刃面を基台に接近させるに従い切り刃を前進させるもので、切り刃を円弧状長穴に沿ってスライドさせながら押し下げるものである。
【０００５】
回動側の刃を押し下げることにより固定側の刃をスライドさせるものとして特許文献３の押し切り式カッター等があった。この押切り式カッターは、アッパーフレームが円弧状の傾斜ガイドを有すると共にアッパーフレームの傾斜ガイドに対応する円弧状に刃部の背が形成され、刃部がアッパーフレームの傾斜ガイドに添った長さ方向への移動のもとで、アッパーフレームに対し傾斜可能に支持されている。
【０００６】
同じく物品を切り易くするため、非特許文献１があった。この植物用押切りは、ベース上に取り付けた凹状の円弧状の刃を有する固定刃の先端部と、凸状の円弧状の刃を有する回動刃を備え、回動刃を回動させることにより植物の茎を裁断するものである。
【特許文献１】実開平６−８５７９２号公報
【特許文献２】実開昭６２−８０９８号公報
【特許文献３】実開平０６−１５９９２号公報
【非特許文献１】意匠登録第１１４６５７６号公報
【発明の開示】
【発明が解決しようとする課題】
【０００７】
前述の通り、従来の押し切り式カッターは、基本的に刃と受け刃が端部で回動自在に取付けられており、物品を押し切り切断すると物品の切断片が周囲に飛散する上に、切断片の一部が作業者に当り作業者が怪我をすることもあり、更に、前記作業終了後、周囲に広く飛散した物品の切断片を１ヶ所に寄せ集めなければならなかった。更に、寄せ集めた切断片を結束したり、収納体（袋）に収納せねばならなかった。
【０００８】
又、切り易くするために開動側或は固定側の刃をスライドさせるものは、構造が複雑化し、製造コストが高くついた。刃を凸状としたものは、切断開始時における抵抗値が大きく、刃を凹状としたものは、切断終了間際における抵抗値が大きく、従来のものと較べ疲れるという点では大差がなかった。
【０００９】
本発明は、切断片が周辺に飛散しない押し切り式カッターの提供を第１の目的とし、物品切断時に自動的に切断片が収納体（袋）内に収納される押し切り式カッターの提供を第２の目的とし、更に、構造が簡単で切り易く、長時間の使用にも耐えられる疲れ辛い押し切り式カッターの提供を第２の目的としている。
【課題を解決するための手段】
【００１０】
上記目的を達成するために本発明の請求項１の押し切り式カッターは、固定体と回動体を有し、該固定体と回動体の対向面の何れか一方に鋭利な刃を有し、かつ、該固定体をベース上に取り付け、該固定体の先端部と回動体の先端部を回動自在に取付け、回動体の基部に把手部を延設した押し切り式カッターであって、前記固定体と回動体の何れかに取付け或は着脱自在に取付け、該回動体の回動により固定体との間で押切られた物品の切断片が、周囲に飛散することを防止する飛散防止体を有することを特徴とする。
【００１１】
本発明の請求項２の押し切り式カッターは、固定体と回動体を有し、該固定体と回動体の対向面の何れか一方に鋭利な刃を有し、かつ、該固定体をベース上に取り付け、該固定体の先端部と回動体の先端部を回動自在に取付け、回動体の基部に把手部を延設した押し切り式カッターであって、該固定体と回動体何れかに取付け或は着脱自在に取付け、該固定体の回動により固定体との間で押切られた物品の切断片を収納する収納体を開口状態で取付ける収納体取付け部材を有することを特徴とする。
【００１２】
本発明の請求項３の押し切り式カッターは、固定体と回動体の何れかに係止部を設け、該係止部に前記収納体取付け部材に設けた係止部を着脱自在に係止することを特徴とする。
【００１３】
本発明の請求項４の押し切り式カッターは、前記収納体取付け部材が枠体で形成され、前記固定体或は回動体に設けた係止部が孔であり、該孔に前記収納体取付け部材の係止部を挿入し固定することを特徴とする。
【００１４】
本発明の請求項５の押し切り式カッターは、前記請求項１記載の飛散防止体と、前記請求項２乃至４のうち１項記載の収納体取付け部材を有することを特徴とする。
【００１５】
本発明の請求項６の押し切り式カッターは、固定体と回動体を有し、該固定体と回動体の対向面の何れか一方の辺に鋭利な刃を、他方の辺には受け刃を設け、かつ、該固定体をベース上に取付け、該固定体の先端部と回動体の先端部を回動自在に取付け、回動体の基部に把手部を延設した押切り式カッターであって、
前記固定体と回動体の何れか一方の辺に形成された鋭利な刃が折曲した刃であり、
ベースと回動体の把手部の角度をθ１又はθ５とし、前記鋭利な刃の中央部と相手側の直線的な受け刃との角度をθ２又はθ６としたとき
θ１≦θ２  又は  θ５≦θ６
の関係があり、鋭利な刃の後端部と受け刃との角度をθ３又はθ７としたとき、
θ２≦θ３  又は  θ６≦θ７
の関係があり、鋭利な刃の先端部と受け刃との角度をθ４又はθ８としたとき、
θ２≦θ４  又は  θ６≦θ８
の関係となること特徴としている。
【発明の効果】
【００１６】
本発明の請求項１記載の押切り式カッターには、固定体と回動体の何れかに取付け或は着脱自在に取付けた飛散防止体がある。固定体と回動体の間で強圧され押切られた物品の切断片が周囲に飛散しようとしても、飛散防止対に当り押切り式カッターの近傍に落下するから広く周辺に散乱することがない。従って、物品切断作業後の始末が楽な上に、飛散した切断片が作業者に当ることもなく安全である。
【００１７】
本発明の請求項２記載の押切り式カッターには、固定体と回動体の何れかに取付け或は着脱自在に取付けた収納体取付け部材がある。該収納体取付け部材にポリ袋や開口を有する収納体を開口させた状態で取付け、該開口に切断する物品の先端部を挿入し、固定体と回動体の間で強圧し押切ると、物品の切断片が自動的に収納体内に挿入される。従って、切断作業終了後、前記収納体に収納された切断片を廃棄物として処理でき、後始末が容易になった。尚、この収納体を使い捨てとすれば、廃棄処理がもっと容易になる。
【００１８】
本発明の請求項３記載の押切り式カッターは、前記固定体或は回動体に係止部を設け、該係止部に前記収納体取付け部材に設けた係止部を着脱自在に係止するものである。従って、請求項２の効果に加え、固定体或は回動体の係止部に収納体取付け部材の係止部を係止するだけで簡単に着脱できるようになった。
【００１９】
本発明の請求項４記載の押切り式カッターは、収納体取付け部材が枠体であり、前記固定体或は回動体に設けた係止部が孔であり、該孔に収納体取付け部材に形成した係止部を挿入し固定するものであり、収納体取付け部材を加工の簡単なワイヤー（ピアノ線）や安い合成樹脂で造れる。従って、請求項３の効果に加え、固定体或は回動体の係止部に収納体取付け部材の係止部を挿入するだけで係止できる上にワイヤーを折曲したり、合成樹脂を射出成形するなど低コストで提供できる。
【００２０】
前記請求項５記載の押切り式カッターによれば、前記請求項１の飛散防止体と、前記請求項２乃至４のうち１項記載の収納体取付け部材があるので、請求項１及び２乃至４の夫々の効果を兼ね備えた押切り式カッターが得られた。
【００２１】
前記請求項６記載の押切り式カッターは、固定体と回動体の何れか一方或は両方の鋭利な刃が折曲し或は湾曲した刃であり、鋭利な刃の央部と、この央部と対向する固定体或は回動体の刃の拡開角度が、回動体とベースの拡開角度以上であり、鋭利な刃の前端部或は後端部と、この前端部或は後端部と対向する固定体或は回動体との拡開角度より拡開している。従って、固定体と回動体の間に切断する物品を挟み、回動体を回動して該物品を切断する時、該物品が鋭利な刃上を僅かに滑り、撫で切り状態となり、良く切れる。又、切断時の抵抗の大きい鋭利な刃の前後の両端部では、央部より拡開角度が大きいので、一層良く切れる。上記押切り式カッターは、従来の押切り式カッターと部品点数が同じであり、スライドする鋭利な刃を有する押切り式カッターとは異なり、製造コストが大きく高くつくこともなく、良く切れるので作業者の疲労も少ない。（注：刃物で物品を切る時は、スライドさせながら切る即ち撫で切りすると良く切れる。）
【発明を実施するための最良の形態】
【００２２】
以下、本発明の第１の実施実施例を添付した図１と図２の斜視図に基づき詳細に説明する。始めに、固定体１の先端部に軸３（頭部付ボルト）により回動体２の先端部を回動自在に取り付ける。この回動体２を回動させて押し下げるとき、揺動せずにスムースに回動するように、揺動防止部材としての座金４を軸３の頭部と回動体２（或は固定体１）の間に嵌挿する。座金４の直径は大きい程良く、軸３の直径の３〜６倍程度である。回動体２の先端部下方側には、軸３の軸心と同心円の円弧状の辺を有する切欠５が設けられている。この切欠５の円弧状の辺に外接する回動規制部材としての突起６が、固定体１の先端側面に突設され、回動体２の回動範囲を切欠５の範囲内に規制している。
【００２３】
前記固定体１と対向する回動体２の側辺には、鋭利な刃７が設けられている。逆に、回動体２の鋭利な刃７と対向する固定体１の側辺には、断面が鈍角（或は直角）な刃８が設けられている。固定体１と回動体２の間に図示しない物品を挟み、回動体２を回動して固定体１との間の物品を強圧すると、物品が切断される。図では回動体２の対向辺を固定体１側に突出した円弧状の刃として形成している。又、固定体１の対向辺を回動体２の突出した円弧状の刃７と同形状の円弧状で凹型の刃８として形成し、この円弧状の凹型の刃８を断面が鈍角な刃としている。上記固定体１と回動体２の対向辺の刃７，８の形状は、上記の例と逆でも良く、更に、真直ぐな刃であっても、後述する実施例のような折曲した刃であっても良い。
【００２４】
上記固定体１は、ベース１０上にボルト１１で固定した状態で取付けられている。このベース１０は、平行な帯板１２の央部を角パイプ１３で連結してあるが、脚付ベースや台であっても良い。
【００２５】
前記回動体２の外側の側部（背側）には、回動体２の後端方向に延設する把手部１４がボルト１１で取付けられ（溶着等でも良い）、回動体２と把手部１４を合わせた長さはベース１０と同等の長さとなっている。この把手部１４と回動体２の取り付け部近傍に回動体２を覆い、回動体２の両翼に広がる飛散防止体１５が、把手部１４に上方に向かって突設されたネジ（図示せず）に蝶ナット１６で着脱自在に取付けられている。この飛散防止体１５の形状と取付け方法は任意であり固着であっても良い。この飛散防止体１５は、固定体１と回動体２の間に挟まれ強圧されて切断された物品が、押し切り式カッターの周辺に飛散することを防ぐためのものである。この飛散防止体１５は、物品の切断状態を見ながら作業できるように透明な合成樹脂板で形成されているが、物品の切断状態を見ながら作業できるものであれば、金網や格子状のものでも良く、形状と素材を問うものではない。勿論、飛散防止体１５の取付け方法を変えて飛散防止体１５の形状も変え固定体１に取付けることもできる。
【００２６】
上記のように飛散防止体１５を回動体２（或は固定体１）に取付け、回動体２を回動すると、固定体１と回動体２の間に挟まれ強圧されて切断された物品の切断片が飛び跳ねても、この飛散防止体１５に当って遠くに飛ばず、押し切り式カッターの周辺に散乱することがなく、作業終了後の後始末が楽である。更に、切断された物品の切断片が作業者や周辺にいる人に当り人が怪我をしたり、切断片が当った周辺の他の物品が損傷をすることがない。
【００２７】
本願の押切り式カッターには、固定体１と回動体２の間に挟まれ強圧されて切断された物品の切断片を自動的に収納する収納体としての袋（図示せず）を開口した状態で固定体１（或は回動体２）に取付ける収納体取付け部材１７が設けられている。この収納体取付け部材１７は、弾性体であるピアノ線（ピアノ線に拘らず他の金属線や合成樹脂を弾力性のある構造としたものでも良い）を折曲して形成されている。収納体取付け部材１７は、本体１８がピアノ線をコ状（Ｃ，Ｕ，Ｏ型、その他の形状）に折り曲げて形成される。本体１８を固定体１の孔２１（後述）に係止した時、この本体１８は、ベース１０上に垂直に立設された固定体１の後端から斜め上方に向かって３０度から６０度の角度で傾斜した状態で取付けられるように本体１８の両端を折曲し、最先端１９が内側（或は外側）に向けられた係止部２０となっている。
【００２８】
この収納体取付け部材１７は、開口を有する袋や容器等の収納体を開口した状態で、前記切断された物品の切断片を自動的に収納できるように取り付けられれば、如何なる形状、如何なる素材で形成しても良い。例えば、使い捨て容器等の収納体を紙、合成樹脂，金属、木等で形成し、この収納体を収納体取付け部材１７により固定体１に取付けることもできる。或は、収納体を繰り返し使用する収納体とし、切断され収納体に収納された切断片を別途用意した使い捨てのポリ袋等に収納しなおして破棄しても良い。
【００２９】
固定体１には、前記収納体取付け部材１７の係止部２０を着脱自在に取付ける係止部としての孔２１（図では○孔で図示したが、長孔やＬ型その他の孔としたり、別途形成した短いパイプやピンチ等の挟持体を取り付けて係止部としたりできる）を形成する。
【００３０】
前記収納体取付け部材１７の両端の係止部２０の間を両手で少し拡開した（係止部２０の最先端１９が、外側を向いている時は窄め）状態で固定体１の係止部２１に挿入し、拡開した（或は、窄めた）圧力を開放すると（収納体取付け部材１７の係止部の形状次第）、拡開された（或は窄められ）両端の係止部２０間が元に戻り、固定体１の係止部２１に係止部２０が取付けられる。この取りつけられた収納体取付け部材１７に、図示しない収納体を開口して係止し、洗濯鋏み等の取付け部材により前述の収納体を取付ける。
【００３１】
次に、裁断する物品の先端部を、収納体取付け部材１７に取付けられた収納体の開口に挿入した状態で、固定体１と回動体２の間に挿入し、回動体２を回動させて前記物品を強圧すると、切断された切断片が自動的に収納体に収納される。物品の切断片が収納された収納体を収納体取付け部材１７から取外せば、そのまま廃棄物として廃棄できるから大変便利である。
【００３２】
尚、本実施例の押切り式カッターは、固定体１の刃８を凹型で、回動体２の刃７を凸型で図示し説明したが、固定体１と回動体２の形状が逆であっても良く、両者の対向する辺に設けた刃７，８を真直ぐな刃としても良い。又、固定体１を１枚で示したが、２枚でも良く、固定体１と回動体２を閉じた時、回動体２が２枚の固定体の間に嵌入するものでも良い。即ち、本願の押切り式カッターは、固定体１と回動体２を有し、両者が先端部で回動自在となっていれば、如何なる構成であっても良い。
【００３３】
本願の第２の実施例を図３の側面図により説明する。前記第１の実施例と主に異なる点は、固定体３１に形成された刃５０が複数個所で折曲された鋭利な刃５０で、刃５０の先端方向から後端方向に向かいベース４０方向に折り曲げられていることである。即ち、固定体１の鋭利な刃５０が先端部５１と後端部５３と央部５２の３つの部分に分かれ、これらが折線のように折り曲げられている。
【００３４】
更に詳述すると、鋭利な刃５０の央部５２はベース４０と平行或は前端方向（回動軸３側）から後端方向に向かって順次ベース側に向かう傾斜した刃とする。次に、前端部５１と後端部５３の刃を央部５２の刃の傾斜角度より急な傾斜角度とする。或は、刃５０の前端部５１と央部５２、央部５２と後端部５３を円弧状に連続させ、折曲部を湾曲させた鋭い刃としても良い。
【００３５】
このように固定体３１の刃５０が折曲した鋭い刃で、回動体３２が真直ぐな受け刃５４の時、固定体３１の前端部５１、央部５２、後端部５３と回動体３２の受け刃５４との拡開角度θ２，θ３，θ４は、回動体３２を任意の位置にしたときのベース４０と回動体３２とが成す角度をθ１としたとき、これらの関係は、下記のような式で表される。
θ１≦θ２
θ２≦θ３
θ２≦θ４
【００３６】
図４は、図３に示す第２実施例の変形例である。この実施例では、回動体３２方に鋭利な刃５５を形成している。この鋭利な刃５５は、前端部５６、央部５７、後端部５８の各部分からなり、これらは折線状になっている。
【００３７】
回動体３２を任意の位置にしたときのベース４０と回動体３２の把手部４４とが成す角度をθ５とし、固定体３１の受け刃５９と、回動体３２の刃５５の前端部５６、央部５７、後端部５８の各部分との拡開角度をそれぞれθ６，θ７，θ８とすれば、これらは下記のような式で表される。
θ５≦θ６
θ５≦θ６
θ５≦θ６
【００３８】
従来の押切り式カッターは、一方の回動する刃を回動させ固定体と回動体の間に挟んだ物品を強圧して裁断するとき、裁断開始時と終了時間際の抵抗が大きいため作業者の疲労が多くなる。上記実施例は、従来の裁断時に刃を摺動させ所謂撫で切りする押切り式カッターの撫で切り作用を応用したもので、鋭利な刃５０，５５を傾斜させることにより裁断時に裁断する物品を僅かに摺動させながら裁断するため、裁断時の抵抗を和らげスムースに裁断でき、作業者の疲労を軽減できた。鋭利な刃５０，５５の前端部５１，５６と後端部５３，５８の傾斜角度を央部５２，５７より大きくすることにより、裁断開始時と終了時間際の抵抗を一層軽減できるようになった。又、鋭利な刃５０，５５の形状を変えただけであるから押切り式カッターの部品点数に変化がなく、製造コストの増加要因が少なくてすむ。
【産業上の利用可能性】
【００３９】
本発明の押切り式カッターは、長尺の種々の物品を裁断するときに有効で、特に、家庭や事務所で長さ規制が強化された少量の長尺廃棄物を裁断する時に使う低廉な押切り式カッターとして使用できる。
【図面の簡単な説明】
【００４０】
【図１】本発明の押切り式カッターを示す斜視図である。
【図２】本発明の押切り式カッターの収納体取付け部材を示す斜視図である。
【図３】本発明の押切り式カッターの異なる実施例を示す側面図である。
【図４】図３に示す第２実施例の変形例である。
【符号の説明】
【００４１】
１        固定体
２        回動体
７        折曲した鋭利な刃
８        断面が鈍角（或は直角）な刃としての円弧状の凹型の刃
１０        ベース
１４        把手部
１５        飛散防止体
１７        収納体取付け部材
３１        固定体
３２        回動体
４０        ベース
４４        把手部
５１        鋭利な刃の先端部
５２        鋭利な刃の央部
５３        鋭利な刃の後端部
５４        真直ぐな受け刃
５５        折曲した鋭利な刃
５６        鋭利な刃の前端部
５７        鋭利な刃の央部
５８        鋭利な刃の後端部
５９        固定体の受け刃
【図１】
2005219166.tif 000003
【図２】
2005219166.tif 000004
【図３】
2005219166.tif 000005
【図４】
2005219166.tif 000006